(57)【要約】【課題】知的財産法の知識に乏しいユーザであっても、わかりやすく知的財産の登録の有無に関する情報を理解させることができる。【解決手段】知的財産情報及びキャラクター情報を記録する記録部と、記録部に記録されたキャラクター情報に基づいて、ユーザが操作可能なユーザ端末にキャラクターを出力する出力部と、ユーザ端末から送信された、ユーザが発明者または出願人として関係する知的財産に関する情報を受け付ける受付部と、知的財産情報及び知的財産に関する情報に基づいて、知的財産の権利取得可能性を算出する算出部と、算出部により算出された権利取得可能性の情報に基づいて、キャラクターの態様を出力制御する制御部とを備える。【選択図】図１
2019036177.tif 000002
【特許請求の範囲】
【請求項１】
知的財産情報及びキャラクター情報を記録する記録部と、
前記記録部に記録されたキャラクター情報に基づいて、ユーザが操作可能なユーザ端末にキャラクターを出力する出力部と、
前記ユーザ端末から送信された、前記ユーザが発明者または出願人として関係する知的財産に関する情報を受け付ける受付部と、
前記知的財産情報及び前記知的財産に関する情報に基づいて、前記知的財産の権利取得可能性を算出する算出部と、
前記算出部により算出された権利取得可能性の情報に基づいて、前記キャラクターの態様を出力制御する制御部とを備える知的財産支援装置。
【請求項２】
前記算出部は、前記記録部に記録された前記知的財産情報を用いて、前記権利取得可能性を算出するための機械学習に用いる学習データを予め生成し、該学習データ及び前記知的財産に関する情報から前記権利取得可能性の情報を算出することを特徴とする請求項１に記載の知的財産支援装置。
【請求項３】
前記算出部は、前記学習データ及び前記権利取得可能性の情報に基づいて、前記知的財産に関する情報に付加すべき新たなキーワードを、前記知的財産情報から算出するものであって、
前記制御部は、前記新たなキーワードを、前記キャラクターを介して出力することを特徴とする請求項２に記載の知的財産支援装置。
【請求項４】
前記知的財産支援装置は、前記知的財産情報から、前記知的財産に関する情報に関する類似情報を抽出する抽出部をさらに備え、
前記算出部は、前記類似情報に基づいて、前記権利取得可能性の情報を算出することを特徴とする請求項２または３に記載の知的財産支援装置。
【請求項５】
前記抽出部は、前記知的財産に関する情報と、前記類似情報を比較し、該比較した結果に基づいて前記類似情報のうちの新たな類似情報を抽出することを特徴とする請求項４に記載の知的財産支援装置。
【請求項６】
前記制御部は、前記新たな類似情報に基づいて、前記キャラクターの態様を選択することを特徴とする請求項５に記載の知的財産支援装置。
【請求項７】
前記制御部は、前記キャラクターを介して、前記権利取得可能性の情報を示すことを特徴とする請求項６記載の知的財産支援装置。
【請求項８】
知的財産情報及びキャラクター情報を記録するステップと、
前記記録されたキャラクター情報に基づいて、ユーザが操作可能なユーザ端末にキャラクターを出力するステップと、
前記ユーザ端末から送信された、知的財産に関する情報を受け付けるステップと、
前記知的財産情報及び前記知的財産に関する情報に基づいて、前記知的財産の権利取得可能性を算出するステップと、
前記算出された権利取得可能性の情報に基づいて、前記キャラクターの態様を出力制御するステップとを備える知的財産支援方法。
【請求項９】
コンピュータに、知的財産情報及びキャラクター情報を記録させる記録機能と、
前記記録されたキャラクター情報に基づいて、ユーザが操作可能なユーザ端末にキャラクターを出力させる出力機能と、
前記ユーザ端末から送信された、知的財産に関する情報を受け付ける受付機能と、
前記知的財産情報及び前記知的財産に関する情報に基づいて、前記知的財産の権利取得可能性を算出させる算出機能と、
前記算出された権利取得可能性の情報に基づいて、前記キャラクターの態様を出力制御する制御機能とを実行させる知的財産支援プログラム。
【発明の詳細な説明】
【技術分野】
【０００１】
本発明は、知的財産に関する手続きを行うための知的財産支援装置および知的財産支援方法並びに知的財産支援プログラムに関するものである。
【背景技術】
【０００２】
近年、出願前の発明を評価する装置が開発されている。特許文献１には、知的財産に関する情報を記憶し、出願前の出願書類についての評価、及び、作成の支援を行う、特許明細書評価・作成作業支援装置が開示されている。特許文献１に記載の特許明細書評価・作成作業支援装置は、拒絶理由通知書を含む公開特許公報に関する情報を格納し、該格納情報に対して出願前の出願書類を類似検索することによって、予測される拒絶理由通知書の記載を推定することが記載されている。
【先行技術文献】
【特許文献】
【０００３】
【特許文献１】特開２０１０−２２４９８４号公報
【発明の概要】
【発明が解決しようとする課題】
【０００４】
ここで、例えば、特許における新規性、進歩性については議論の的となる問題であるが、このような問題は、知的財産の知識がある者には理解ができるが、知的財産の知識がない者には理解が困難な場合があるといえる。
【０００５】
このような課題に対して、知的財産法の知識に乏しいユーザであっても、わかりやすく知的財産の登録の有無に関する情報を理解させることができるシステムの開発が切望されている。
【課題を解決するための手段】
【０００６】
本発明の一実施形態における知的財産支援装置は、知的財産情報及びキャラクター情報を記録する記録部と、記録部に記録されたキャラクター情報に基づいて、ユーザが操作可能なユーザ端末にキャラクターを出力する出力部と、ユーザ端末から送信された、ユーザが発明者または出願人として関係する知的財産に関する情報を受け付ける受付部と、知的財産情報及び知的財産に関する情報に基づいて、知的財産の権利取得可能性を算出する算出部と、算出部により算出された権利取得可能性の情報に基づいて、キャラクターの態様を出力制御する制御部とを備えることを特徴とする。
【０００７】
本発明の一実施形態における知的財産支援装置において、算出部は、記録部に記録された知的財産情報を用いて、権利取得可能性を算出するための機械学習に用いる学習データを予め生成し、該学習データ及び知的財産に関する情報から権利取得可能性の情報を算出することを特徴としてもよい。
【０００８】
本発明の一実施形態における知的財産支援装置において、算出部は、学習データ及び権利取得可能性の情報に基づいて、知的財産に関する情報に付加すべき新たなキーワードを、知的財産情報から算出するものであって、制御部は、新たなキーワードを、キャラクターを介して出力することを特徴としてもよい。
【０００９】
本発明の一実施形態における知的財産支援装置は、知的財産情報から、知的財産に関する情報に関する類似情報を抽出する抽出部をさらに備え、算出部は、類似情報に基づいて、権利取得可能性の情報を算出することを特徴としてもよい。
【００１０】
本発明の一実施形態における知的財産支援装置において、抽出部は、知的財産に関する情報と、類似情報を比較し、該比較した結果に基づいて類似情報のうちの新たな類似情報を抽出することを特徴としてもよい。
【００１１】
本発明の一実施形態における知的財産支援装置において、制御部は、新たな類似情報に基づいて、キャラクターの態様を選択することを特徴としてもよい。
【００１２】
本発明の一実施形態における知的財産支援装置において、制御部は、キャラクターを介して、権利取得可能性の情報を示すことを特徴としてもよい。
【００１３】
本発明の一実施形態における知的財産支援方法において、知的財産情報及びキャラクター情報を記録するステップと、記録されたキャラクター情報に基づいて、ユーザが操作可能なユーザ端末にキャラクターを出力するステップと、ユーザ端末から送信された、知的財産に関する情報を受け付けるステップと、知的財産情報及び知的財産に関する情報に基づいて、知的財産の権利取得可能性を算出するステップと、算出された権利取得可能性の情報に基づいて、キャラクターの態様を出力制御するステップとを備える。
【００１４】
本発明の一実施形態における知的財産支援プログラムにおいて、コンピュータに、知的財産情報及びキャラクター情報を記録させる記録機能と、記録されたキャラクター情報に基づいて、ユーザが操作可能なユーザ端末にキャラクターを出力させる出力機能と、ユーザ端末から送信された、知的財産に関する情報を受け付ける受付機能と、知的財産情報及び知的財産に関する情報に基づいて、知的財産の権利取得可能性を算出させる算出機能と、算出された権利取得可能性の情報に基づいて、キャラクターの態様を出力制御する制御機能とを実行させる。
【発明の効果】
【００１５】
本発明によれば、知的財産法の知識に乏しいユーザであっても、わかりやすく知的財産の登録の有無に関する情報を理解させることができる。
【図面の簡単な説明】
【００１６】
【図１】本発明の実施形態に係る知財システムの構成例を示す図である。
【図２】本発明の実施形態に係る知的財産支援装置の動作例を示すフローチャートである。
【図３】本発明の実施形態に係るリエゾン画面の例を示す模式図である。
【図４】本発明の実施形態に係る知的財産支援装置の処理の例を示す図である。
【図５】本発明の実施形態に係るユーザ端末へ出力される態様の例を示す図である。
【図６】本発明の実施形態に係るユーザ端末へ出力される態様の例を示す図である。
【発明を実施するための形態】
【００１７】
本発明の実施形態について、図面を参照して説明する。
【００１８】
図１は、知財システムの構成例を示す図である。図１に示すように、知財システムは、知的財産支援装置１と、ユーザ端末２とが、Ｎｅｔｗｏｒｋ（以下、ＮＷとする）を介して接続される。
【００１９】
知的財産支援装置１は、知的財産情報及びキャラクター情報を記憶する記憶部１２と、記憶部に記憶されたキャラクター情報に基づいて、ユーザが操作可能なユーザ端末２にキャラクター３を出力する出力部１３と、ユーザ端末２から送信された、ユーザが発明者または出願人として関係する知的財産に関する情報を受け付ける受付部１４と、知的財産情報及び知的財産に関する情報に基づいて、知的財産の権利取得可能性を算出する算出部１５と、算出部１５により算出された権利取得可能性の情報に基づいて、キャラクター３の態様を出力制御する制御部１１とを備える。
【００２０】
ユーザが発明者または出願人として関係する知的財産に関する情報に対し、知的財産の権利取得可能性を算出し、算出された権利取得可能性の情報に基づいて、キャラクター３の態様を出力制御することによって、知的財産支援装置１は、知的財産法の知識に乏しいユーザであっても、わかりやすく知的財産の登録の有無に関する情報を理解させることができる。
【００２１】
知的財産支援装置１は、制御部１１と、記憶部１２と、出力部１３と、受付部１４と、算出部１５と、抽出部１６とを含む。
【００２２】
知的財産支援装置１は、ＮＷを介してユーザ端末２と接続し、該ユーザ端末２に対して知財システムのサービスを提供するための装置である。知的財産支援装置１は、例えば、いわゆるサーバ装置やコンピュータ（例えば、デスクトップ、ラップトップ、タブレットなど）である。なお、本発明の第１の実施形態において、知的財産支援装置１は、これらに限定されない。
【００２３】
制御部１１は、知的財産支援装置１の各部を制御する機能を有するプロセッサである。例えば、制御部１１は、中央処理装置（Central Processing Unit）やマイクロプロセッサ（microprocessor）、プロセッサコア（processor core）、マルチプロセッサ（multiprocessor）、ＡＳＩＣ（application-specific integrated circuit）、ＦＰＧＡ（field programmable gate array）などである。なお、本発明において、制御部１１は、これらに限定されない。
【００２４】
制御部１１は、算出部１５により算出された知的財産に関するデータに基づいて、キャラクター３の態様を出力制御することができる。具体的には、制御部１１は、算出部１５により算出された権利取得可能性の情報に基づいて、キャラクター３の態様を出力制御することができる。算出部１５により算出された知的財産に関するデータに基づいて、キャラクター３の態様を出力制御することにより、知的財産支援装置１は、キャラクター３を使用した知的財産に関する情報の表現が可能となり、知的財産法の知識に乏しいユーザであっても、わかりやすく知的財産に関する情報を理解させることができる。
【００２５】
また、制御部１１は、具体的には、抽出部１６による新たな類似情報に基づいて、キャラクター３の態様を選択することができる。新たな類似情報に基づいて、キャラクター３の態様を新たに選択可能とすることで、知的財産支援装置１は、知的財産に関する情報をユーザによりわかりやすく表現することができ、知的財産法の知識に乏しいユーザであっても、わかりやすく知的財産に関する情報を理解させることができる。
【００２６】
さらに、制御部１１は、具体的には、キャラクター３を介して、算出部１５による権利取得可能性の情報を示すことができる。キャラクター３を介して、算出部１５による権利取得可能性の情報を示すことで、知的財産支援装置１は、権利取得可能性をユーザによりわかりやすく表現することができ、知的財産法の知識に乏しいユーザであっても、わかりやすく知的財産の登録の有無に関する情報を理解させることができる。
【００２７】
記憶部１２は、知的財産支援装置１における各種情報を記憶する。また、記憶部１２は、知的財産支援装置１が動作するうえで必要とする各種プログラムおよびデータを記憶する機能を有する。記憶部１２は、例えば、ＨＤＤ（Hard Disc Drive）、ＳＳＤ（Solid State Drive）、フラッシュメモリなどの各種の記録媒体である。記憶部１２は、後述するキャラクター情報３、上述した機械学習および学習データ、知的財産情報、発明者または出願人として関係する知的財産に関する情報等を記録することができる。
【００２８】
ここで、知的財産情報は、公開された技術情報、好ましくは知的財産に関するデータをいう。例えば、知的財産情報とは、公開されたWeb上の知的財産情報に関する情報（Web、新聞など）、特許、意匠、商標、実用新案、若しくは訴訟に関する情報、又は各国特許庁が有する情報である。より具体的には、例えば、知的財産情報とは、特許公開公報、該特許公開公報に記載される書誌事項、該特許公開公報に係る出願に対する拒絶理由通知書、該拒絶理由通知書の内容、該拒絶理由通知書において引用された文献の情報、該拒絶理由通知書に対する応答内容、該特許公開公報に係る出願における補正の回数、又は該補正の内容などである。ただし、必ずしも知的財産に関する情報である必要はなく、技術に関する情報、例えば、ｗｅｂ上の情報や、論文、雑誌等の公開された情報であってもよい。
【００２９】
キャラクター情報とは、コンピュータ上での小説、漫画、映画、アニメ、コンピュータゲームなどのフィクションに登場する人物や動物など、あるいはそれら登場人物の性格や性質のことをデジタルデータとして表現したものをいう。例えば、図１に示すような、サムライのようなキャラクターであったり、裁判官、審査官のようなキャラクターであってもよい。例えば、キャラクター情報は、記憶部１２に記録されているものである。キャラクター情報には、それぞれのキャラクターに対して、単数または複数の出力態様を複数、記憶部１２に記録されている。具体的には、記憶部１２には、キャラクター情報３に表されるサムライキャラクターの知的財産権の取得の有無に関する喜怒哀楽それぞれのポーズなどが記録されている。
【００３０】
出力部１３は、知的財産支援装置１における各種情報をユーザ端末２に出力する。具体的には、出力部１３は、ユーザが操作可能なユーザ端末２にキャラクター３を出力することができるものであって、キャラクターによって、知的財産権の取得の有無を表現する。また、具体的には例えば、出力部１３は、ユーザ端末２に、ユーザ端末２から送信された知的財産に関する情報の権利取得可能性の情報を出力もすることができる。この知的財産に関する情報の権利取得可能性の情報としては、例えば、模擬拒絶理由通知書（拒絶理由通知所に似せた、模擬的な通知書）であったり、発明者または出願人として関係する知的財産に関する情報と、後述する抽出部１６により抽出された類似情報との比較表等である。特許の場合、発明者または出願人として関係する知的財産に関する情報は、発明情報が記載されている発明メモや請求項情報である。類似情報は、例えば先行技術文献であって、比較表は、技術的な差異を示したいわゆるクレームチャートである。
【００３１】
受付部１４は、ユーザ端末２から送信された、各種情報を受け付ける。具体的には、受付部１４は、ユーザ端末２から送信された知的財産に関する情報を受け付けることができる。
【００３２】
知的財産に関する情報とは、ユーザ端末から送信される、ユーザが有する知的財産に関するデータである。例えば、ユーザが発明者、創作者、または出願人として関係する知的財産に関する情報などであって、商標登録出願、意匠登録出願、特許出願、実用新案登録出願などの原案である。具体的には、ユーザの発明に関する技術情報が記載された発明メモや、作成済み又は作成中の商標登録出願、意匠登録出願、特許出願、実用新案登録出願などの書類である。
【００３３】
ユーザが有する知的財産に関するデータは、例えば、明細書の態様を有した書類、又は、特許請求の範囲の態様を有した書類といった所定の形式の文字情報、技術の要点や概略図などの発明メモといった所定の形式を有さない文字情報、音声情報、画像情報であって、ＮＷを介して送信可能なデータであればよい。
【００３４】
また、受付部１４は、記憶部１２において記憶しておいた知的財産に関する情報を記録するフォーマットを、出力部１３によってユーザ端末２に出力し、ユーザが該フォーマットにユーザの有する知的財産に関する情報を記録することによって、該情報を受け付けてもよい。例えば、出力部１３から出力されるフォーマットは、データをアップロード可能とする機能を有したアップロード画面であり、ユーザはそこにユーザの有する知的財産に関するデータをアップロードすればよいものであってもよい。例えば、出力部１３から出力されるフォーマットは、課題を解決しようとする手段、発明の効果などの特許出願に際し必要な情報を記載項目として有するものであってもよい。
【００３５】
フォーマットを使用することにより、知的財産支援装置１は、ユーザからの知的財産支援装置１への情報の送信の際に、ユーザが有する知的財産に関する情報のうち、どういった情報をどのように送信したらよいのかをより明確にすることができ、ユーザが知的財産に関する情報を知的財産支援装置１に送信することをより容易にすることができる。また、フォーマットを使用することにより、知的財産支援装置１は、ユーザからの知的財産支援装置１への情報の送信の際に、ユーザが有する知的財産に関する情報のうち、どういった情報をどのように送信したらよいのかをより明確にすることができ、知的財産に関するデータの算出の際（例えば、権利取得可能性の算出の際）に必要な情報を、収集し易くすることが可能となり、知的財産に関するデータ（例えば、権利取得可能性）をより容易かつ正確に算出することができる。
【００３６】
また、受付部１４は、後述のリエゾン画面１０００におけるチャットルーム１００３を用いて、ユーザ端末２から各種情報を受け付けてもよい。チャットルーム１００３を用いることによって、知的財産支援装置１は、ユーザからヒアリングを行うことができ、ユーザが有する知的財産に関する情報のうち、知的財産に関するデータの算出の際（例えば、権利取得可能性の算出の際）に必要な情報を、収集し易くすることが可能となり、知的財産に関するデータ（例えば、権利取得可能性）をより容易かつ正確に算出することができる。
【００３７】
算出部１５は、記憶部１２において記憶された情報、及び、受付部１４においてユーザ端末２から受け付けた情報に基づいて、知的財産に関するデータを算出する。例えば、算出部１５は、記憶部１２において記憶された知的財産情報、及び、受付部１４においてユーザ端末２から受け付けた知的財産に関する情報に基づいて、知的財産の権利取得可能性を算出することができる。知的財産の権利可能性の算出としては、例えば、「発明者、創作者、または出願人として関係する知的財産に関する情報」の構成要件を句読点ごとに分節をする。または、一定の文章の長さや、述語ごとに分節をしてもよい。算出部１５は、構成要件を認定すると、後述する抽出部１６により類似情報を取得し、構成要件と類似情報の近似の程度を算出する。構成要件のキーワードと同一または、そのキーワードよりも類似情報のキーワードが下位概念であれば一致度は高いと判断してもよい。算出部１５は、記憶部１２に、予め記録された、単語のコーパス辞書により、その辞書により下位概念または上位概念の有無を算出できる。
【００３８】
算出部１５は、構成要件と類似情報の一致度ぐあいをスコア算出し、一致するか否かを閾値処理により判定し、構成要件の一致点および相違点を算出する。閾値は予め定められていてもよいし、機械学習により算出されたスコアをもちいてもよい。算出部１５は、相違性が認められた場合、その相違点の高い（一致点の低い）構成要件に対して、後述する抽出部１６を介して、新たな類似特許を取得する。例えば、図４に示すように、発明者、創作者、または出願人として関係する知的財産に関する情報が、「もたれ部と、腕置き部と、座部と回転可能な脚部からなる椅子」（以下、本願発明）であったとする。抽出部１６は、類似情報として、「もたれ部と、腕置き部と、座部と、脚部からなる椅子」の公報（以下、引例１）を抽出したとする。このとき、算出部１５は、本願発明と引例１を構成要件ごとに比較すると、もたれ部と、腕置き部とは一致するためにスコアは１００点となる。一方で、本願発明の「座部と回転可能な脚部」は引例１には「脚部」しか記載がないため、一致する文字数の関係からスコアが高くならない。例えば、一致点が低いものとして３０点とする。そこで、算出部１５は、一致点が低いと判断をし、抽出部１６に対して新たな類似情報を抽出するように指令をし、抽出部１６は一致点の低い構成要件を埋めるための新たな類似情報を取得する。抽出部１６が、新たな類似情報として、「もたれ部と、座部と、回転可能な脚部からなる椅子」の公報（以下、引例２）を抽出する。ここで、回転可能な脚部と一致するためにスコアは１００点となる。ただし、仮に引例２の記載が、「もたれ部と、座部と、回転式固定台からなる椅子」だったとき、上述したコーパス辞書により、脚部の下位概念として、固定台が含まれる場合、１００点または高スコアとなる。
【００３９】
権利取得可能性は、受付部１４においてユーザ端末２から受け付けた知的財産に関する情報について、該知的財産が権利を取得することが可能かどうかについての程度、又は、該知的財産が権利を取得するにあたっての評価のことである。該知的財産が権利を取得することが可能かどうかについての程度は、例えば、権利取得可能性〜〜％（例えば、８０％）といった形式で表現することができる。該知的財産が権利を取得するにあたっての評価は、例えば、知的財産が発明である場合に、特許査定となるのか、拒絶査定となるのか、拒絶理由を有し得るのか、有し得るとすればどういった拒絶理由かを示すことによって表現することができる。
【００４０】
また、権利取得可能性は、模擬拒絶理由通知書であったり、発明者または出願人として関係する知的財産に関する情報と、後述する抽出部により抽出された類似情報との比較表であってもよい。特許の場合、発明者または出願人として関係する知的財産に関する情報は、発明メモやクレームであって、類似情報は引例であって、比較表はいわゆるクレームチャートなどが挙げられる。模擬拒絶理由通知書として、図５を挙げる。クレームチャートの例として、図６を上述した本願発明、引例１、引例２の関係を例として挙げる。算出部１５は、スコアより、一致点の低いものは×、一致点の高いものは〇として算出してもよい。
【００４１】
また、算出部１５は、具体的には、記憶部１２に記憶された知的財産情報を用いて、権利取得可能性を算出するための機械学習に用いる学習データを予め生成し、該学習データ及び知的財産に関する情報から権利取得可能性の情報を算出することができる。記憶部１２に記憶された知的財産情報を用いて、学習データを生成し、該学習データ及び知的財産に関する情報から権利取得可能性の情報を算出することによって、知的財産支援装置１は、知的財産情報（例えば、過去の特許情報）に基づいた、より正確かつ容易に権利取得可能性の情報を算出することができる。
【００４２】
また、算出部１５は、具体的には、権利取得可能性を算出するよう、記憶部１２に記憶された知的財産情報を用いて機械学習させたモデルを用いて、ユーザ端末２から受け付けた知的財産に関する情報に対する権利取得可能性の情報を算出することができる。これにより、知的財産支援装置１は、知的財産情報（例えば、過去の特許情報）に基づいた権利取得可能性の情報の算出を、より素早く正確かつ容易に行うことができる。
【００４３】
機械学習において用いられる知的財産情報は、該知的財産情報について項目ごとに予め数値化された上で処理されており、ユーザ端末２から受け付けた知的財産に関する情報も、同様に数値化した上で権利取得可能性の情報の算出が行われる。
【００４４】
予め数値化される知的財産情報に関する項目とは、例えば、知的財産に関する公開公報に紐づく各種情報であってもよい。知的財産に関する公開公報に紐づく各種情報は、例えば、公開公報の発行日、該公開広報に係る出願書類の提出日（すなわち出願日）、該公開広報に係る出願において受領した拒絶理由通知書の回数、該拒絶理由通知書における内容、該拒絶理由通知書に対する応答の内容、該公開広報に係る出願において行われた補正の回数、該補正の内容、独立請求項の文字数、請求項の数などであってもよい。
【００４５】
算出部１５は、権利取得可能性の算出のため、過去に知的財産支援装置１を使用して権利取得可能性を算出した知的財産に関する情報の実際の結果をフィードバックとして受付部１４より受け付け、機械学習に使用することができる。これにより、知的財産支援装置１は、より精度の高い権利取得可能性の情報の算出を行うことができる。
【００４６】
算出部１５は、ユーザ端末２から受け付けた知的財産に関する情報に対して算出を行った結果、権利取得可能性が否定的であった場合、記憶部１２において記憶されている知的財産情報からキーワードを抽出し、ユーザ端末２から受け付けた知的財産に関する情報において使用されるキーワードに代えて又は加えて該抽出したキーワードを使用した場合について権利取得可能性を算出してもよい。このとき、算出部１５は、権利取得可能性が肯定的になるまで、キーワードの抽出を繰り返すことができる。該権利取得可能性が肯定的になった場合、このとき抽出したキーワードを出力部１３よりユーザ端末２に出力することができる。キーワードの抽出は、記憶部１２において記憶されている知的財産情報からランダムに抽出してもよく、ユーザ端末２から受け付けた知的財産に関する情報により関連する情報から順に抽出するようにしてもよく、オズボーンのチェックリスト等を使用してキーワードの抽出の方法を予め定めておき、該方法に基づいて抽出してもよい。これにより、知的財産支援装置１は、ユーザ端末２から受け付けた知的財産に関する情報に対する権利取得可能性の情報の算出だけでなく、該知的財産に関する情報に関してどうすれば権利取得可能となるかの情報もユーザに提示することが可能となり、知的財産法の知識に乏しいユーザであっても、わかりやすく知的財産に関する情報を理解及び取得させることができる。
【００４７】
キーワードとは、文章、語句、熟語、単語、記号、アルファベット、化学式、又は数字などである。
【００４８】
また、算出部１５は、ユーザ端末２から受け付けた知的財産に関する情報に対して算出を行った結果、権利取得可能性が否定的であった場合、記憶部１２において記憶されている知的財産情報からキーワードを抽出することができ、このとき、ユーザ端末２から受け付けた知的財産に関する情報において使用されるキーワードに代えて又は加えて該抽出したキーワードを使用した場合の権利取得可能性が、権利取得可能性が肯定的となる分布のうち端に位置するようなキーワードを抽出することとしてもよい。キーワードの抽出の際、ユーザ端末２から受け付けた知的財産に関する情報において使用されるキーワードに代えて又は加えて該抽出したキーワードを使用した場合の権利取得可能性が、権利取得可能性が肯定的となる分布のうち、中央ではなく端に位置するようなキーワードを抽出することによって、知的財産支援装置１は、該抽出するキーワードによる該知的財産に関する情報についての限定に際し、より取得可能な権利範囲を広くすることが可能なキーワードを提示することができる。例えば、知的財産に関する情報が特許出願予定の発明の場合、知的財産支援装置１は、該発明に対し、権利取得可能性を肯定的にしつつ、該発明の限定がより広いものとなるようにすることが可能なキーワードを抽出することができる。
【００４９】
算出部１５は、具体的には、学習データ及び権利取得可能性の情報に基づいて、知的財産に関する情報に付加すべき新たなキーワードを、知的財産情報から算出し、制御部１１は、新たなキーワードを、キャラクター３を介して出力することができる。これにより、知的財産支援装置１は、知的財産に関する情報をユーザによりわかりやすく表現することができ、知的財産法の知識に乏しいユーザであっても、わかりやすく知的財産に関する情報として、新たなキーワードを含めた発明の提案をすることができる。
【００５０】
抽出部１６は、記憶部１２において記憶された情報又はＮＷを介して得られる各種データベース上の情報から、受付部１４においてユーザ端末２から受け付けた情報に関する類似情報を抽出する。具体的には、抽出部１６は、記憶部１２において記憶された知的財産情報又はＮＷを介して接続した特許文献や論文などを提供する各種サービスから、受付部１４においてユーザ端末２から受け付けた知的財産に関する情報に関する類似情報を抽出することができる。より具体的には、抽出部１６は、記憶部１２において記憶された又はＮＷを介して得られた特許公開公報のうち、受付部１４においてユーザ端末２から受け付けた発明に関する情報に類似する特許公開公報・特許公報・国際公報を抽出することができる。公報として、特許に関して述べたが、他の法律に関する場合、商標登録出願、意匠登録出願、特許出願、実用新案登録出願の公報も、類似情報に該当する。この公報は、各国の特許庁のデータベースに記録されたものを記憶部１２にコピーしたものであってもよい。
【００５１】
類似情報は、記憶部１２に記憶された知的財産情報から、前述した知的財産に関する情報に類似するデータである。具体的には、知的財産に関する情報が技術に関する書類ならば、その書類内容に近似する特許公報、実用新案の公報などを抽出し、デザインなら近似する意匠公報、近似する商標登録出願の公報であってもよい。
【００５２】
また、抽出部１６によって抽出された類似情報に基づいて、算出部１５は、知的財産に関するデータを算出してもよい。具体的には、算出部１５は、抽出部１６によって抽出された類似情報に基づいて、権利取得可能性を算出してもよい。より具体的には、算出部１５は、抽出部１６によって抽出された、ユーザ端末２から受け付けた発明に関する情報に類似する特許公開公報をデータとして用いることによって、該ユーザ端末２から受け付けた発明の権利取得可能性を算出してもよい。抽出部１６によって抽出された類似情報に基づいて、算出部１５において知的財産に関するデータを算出することにより、知的財産支援装置１は、より具体的かつより多くのデータを使用することが可能となり、該知的財産に関するデータの算出にあたり、より精度を高めることができる。
【００５３】
抽出部１６は、受付部１４において受け付けた知的財産に関する情報において、１つ以上のキーワードを特定し、該キーワードに基づいて、記憶部１２において記憶された情報又はＮＷを介して得られる各種データベース上の情報から、受付部１４においてユーザ端末２から受け付けた情報に関する類似情報を抽出してもよい。このとき、特定されるキーワードに代えて、該キーワードの類語又は下位概念となる新たなキーワードに基づいて、記憶部１２において記憶された情報又はＮＷを介して得られる各種データベース上の情報から、ユーザ端末２から受け付けた情報に関する類似情報を抽出してもよい。キーワードの類語又は下位概念となる新たなキーワードは、例えば、コーパスなどのデータベース若しくは辞書などを予め記憶部１２において記憶しておくことによって、又は、ＮＷを介して得られる各種データベース上の情報から取得することによって、選択されてもよい。
【００５４】
キーワードに基づいて類似情報を抽出することにより、受付部１４において受け付けた知的財産に関する情報及び類似情報をより容易に扱うことができ、並びに、受付部１４において受け付けた知的財産に関する情報と類似情報との関係をより明確にすることができる。キーワードに基づいて類似情報を抽出することにより、受付部１４において受け付けた知的財産に関する情報におけるキーワードが使用できることから、例えば、該キーワードの類語又は下位概念となる新たなキーワードでの類似情報の抽出も可能となり、より多角的な類似情報の抽出を行うことができる。この該キーワードの類語又は下位概念となる新たなキーワードでの類似情報の抽出は、例えば特許の新規性及び進歩性における審査において使用される観点であるところ、このような方法での類似情報の抽出は、特許庁における審査に近づけることが可能となり、より信頼度の高い知的財産に関するデータの算出（例えば、権利取得可能性の情報の算出）を可能とすることができる。また、キーワードに基づいて類似情報を抽出することにより、受付部１４において受け付けた知的財産に関する情報におけるキーワードが使用できることから、例えば、１つ以上の該キーワードのうち、どのキーワードが類似情報に含まれるかに基づく類似情報との類似度の算出を行うことが可能となり、より具体的かつ明確な知的財産に関するデータの算出（例えば、権利取得可能性の情報の算出）を可能とすることができる。
【００５５】
抽出部１６は、受付部１４において受け付けた知的財産に関する情報において、１つ以上のキーワードを特定するとともに、該キーワードの類語又は下位概念となる１つ以上のキーワードを、該受け付けた知的財産に関する情報からさらに特定し、該さらに特定したキーワードに基づいてユーザ端末２から受け付けた情報に関する類似情報を抽出してもよい。具体的には、抽出部１６は、受付部１４において受け付けた知的財産に関する情報が、例えば、明細書の態様を有した書類、又は、特許請求の範囲の態様を有した書類といった所定の形式の文字情報の場合、課題を解決するための手段における記載又は独立請求項における記載などの発明の要点となる記載におけるキーワードをすべて特定し、その他の明細書の記載又は従属請求項における記載などの特定したキーワードを説明する記載において、該複数のキーワードそれぞれの類語又は下位概念となるキーワードをさらに特定し、該さらに特定した複数のキーワードを用いて、ユーザ端末２から受け付けた情報に関する類似情報を抽出してもよい。これにより、受付部１４において受け付けた知的財産に関する情報におけるキーワードについて、該知的財産に関する情報からキーワードについてより特定することが可能となり、ユーザからの情報をより正確に取得することができる。
【００５６】
抽出部１６は、具体的には、受付部１４において受け付けた知的財産に関する情報と、抽出部１６によって抽出された類似情報を比較し、比較した結果に基づいて該類似情報のうちの新たな類似情報を抽出してもよい。これにより、より多角的な類似情報の抽出を行うことができる。
【００５７】
抽出部１６は、具体的には、図４において例として示すように、受付部１４において受け付けた知的財産に関する情報において、１つ以上のキーワードを特定し、記憶部１２において記憶された情報又はＮＷを介して得られる各種データベース上の情報から、該キーワードに基づいてユーザ端末２から受け付けた情報に関する類似情報を抽出し、該特定したキーワードが該類似情報に含まれるか比較し、該特定したキーワードのうち該類似情報に含まれない１つ以上のキーワードに基づいて、再度、記憶部１２において記憶された情報又はＮＷを介して得られる各種データベース上の情報から新たな類似情報を抽出してもよい。このとき、特定されるキーワードに代えて、該キーワードの類語又は下位概念となるキーワードに基づいて、記憶部１２において記憶された情報又はＮＷを介して得られる各種データベース上の情報から、ユーザ端末２から受け付けた情報に関する類似情報を抽出してもよい。キーワードの類語又は下位概念となるキーワードは、例えば、コーパスなどのデータベース若しくは辞書などを予め記憶部１２において記憶しておくことによって、又は、ＮＷを介して得られる各種データベース上の情報から取得することによって、選択されてもよい。
【００５８】
これにより、より多角的な類似情報の抽出を行うことができる。また、このような方法での類似情報の抽出は、例えば特許の進歩性における審査において使用される観点であるところ、特許庁における審査に近づけることが可能となり、より信頼度の高い知的財産に関するデータの算出（例えば、権利取得可能性の情報の算出）を可能とすることができる。
【００５９】
抽出部１６は、例えば、特許の発明メモの構成をエッセンスとして区切る処理を行い、それぞれの構成に対して類似特許を探索する。具体的には、一つの文献として記載されている公報やWebなどの類似情報を抽出し、それぞれの構成に対して、その類似情報を抽出する。また、それぞれの構成ではなく、発明メモ全体に対して、近似する類似情報を週出してもよい。
【００６０】
また、算出部１５は、以下のパターンのいずれかもしくは、両方の結果を用いて権利取得可能性の情報を算出してもよい。また、算出部１５は、算出した結果に基づき、拒絶すべきか、拒絶されないかを下記パターンまたは、前述したスコアと閾値処理により判定できる。具体的には、上述したように、アイデアの権利取得したい部分の発明の類似特許を抽出する。発明を分解し、複数の構成要件として把握し、類似特許とそれぞれの構成要件との一致点のレベルをスコア化する。例えば、スコアはレーベンシュタイン距離などの距離計算手法などにより、文字や文字列などのスコア計算をおこなってもよい。また、スコアの低い（相違点）構成要件に対して、第二の類似特許を抽出部１６介して、抽出する。ニューラルネットワーク、ブースティング処理などの機械学習を用いて、本願発明と引例１と引例２、および同一または類似技術分野における公報の特徴量を算出し、機械学習による射影計算後の距離算出により権利取得可能性の情報を算出することでスコア化してもよい。例えば、特徴量として、本願発明と引例１、引例２の国際特許分類が同一または近似にあるということ、クレームの長さ、被引例の数などの情報を用いてもよい。なお、算出部１５は、機械学習以外の、構成要件毎または、構成要件全体のスコア算出手法の閾値計算により、権利取得可能性の情報を算出してもよい。算出部１５は、前述した、模擬拒絶理由通知書または、クレームチャートの作成をする。
【００６１】
次に、第二のパターンとして、算出部１５は、アイデアの権利取得したい本願発明の類似特許を抽出し、類似特許の過去の拒絶理由通知を抽出し、それの特許が最後権利になったか否かを分析する。算出部１５は、この分析した結果情報により、模擬拒絶理由通知書または、クレームチャートの作成をしてもよい。算出部１５は、この過去の拒絶理由通知の結果をそのまま用いてもよいし、上述した第一のパターン結果と合成した結果を、模擬拒絶理由通知書または、クレームチャートの作成をしてもよい。
【００６２】
次に、第二のパターンとして、算出部１５は、アイデアの権利取得したい本願発明の類似特許を抽出し、類似特許の過去の拒絶理由通知を抽出し、それの特許が最後権利になったか否かを分析する。算出部１５は、この分析した結果情報により、模擬拒絶理由通知書または、クレームチャートの作成をしてもよい。算出部１５は、この過去の拒絶理由通知の結果をそのまま用いてもよいし、上述した第一のパターン結果と合成した結果を、模擬拒絶理由通知書または、クレームチャートの作成をしてもよい。
【００６３】
図２は、本発明の第１の実施形態における、知的財産支援装置１の動作例を示すフローチャートである。
【００６４】
図２に示すように、知的財産支援装置１は、ユーザ端末２とＮｅｔｗｏｒｋを介して接続されると、記憶部１２に記憶された各種情報を、出力部１３からユーザ端末２に出力する（Ｓ１０１）。具体的には、知的財産支援装置１は、記憶部１２に記憶されたキャラクター３を、出力部１３からユーザ端末２に出力することができる。
【００６５】
ユーザ端末２から各種情報が送信されると、該情報を受付部１４が受け付ける（Ｓ１０２）。続いて、算出部１５は、受付部１４が受け付けた情報及び記憶部１２において記憶された情報に基づいて、知的財産に関するデータを算出する（Ｓ１０３）。具体的には、算出部１５は、受付部１４が受け付けた知的財産に関する情報、及び、記憶部１２において記憶されたた知的財産情報に基づいて、知的財産の権利取得可能性を算出することができる。
【００６６】
また、算出部１５は、具体的には、記憶部１２に記憶された知的財産情報を用いて、権利取得可能性を算出するための機械学習に用いる学習データを予め生成し、該学習データ及び知的財産に関する情報から権利取得可能性の情報を算出してもよい。
【００６７】
さらに、算出部１５は、具体的には、学習データ及び権利取得可能性の情報に基づいて、知的財産に関する情報に付加すべき新たなキーワードを、知的財産情報から算出してもよい。
【００６８】
算出部１５による算出の際、又は、算出部１５による算出の前後において、抽出部１６は、記憶部１２において記憶された情報から、受付部１４においてユーザ端末２から受け付けた情報に関する類似情報を抽出してもよい。具体的には、抽出部１６は、算出部１５による算出の際、又は、算出部１５による算出の前後において、記憶部１２において記憶された知的財産情報から、受付部１４においてユーザ端末２から受け付けた知的財産に関する情報に関する類似情報を抽出してもよい。より具体的には、抽出部１６は、記憶部１２において記憶された特許公開公報のうち、受付部１４においてユーザ端末２から受け付けた発明に関する情報に類似する特許公開公報を抽出してもよい。
【００６９】
また、抽出部１６によって抽出された類似情報に基づいて、算出部１５は、知的財産に関するデータを算出してもよい。具体的には、算出部１５は、抽出部１６によって抽出された類似情報に基づいて、権利取得可能性を算出してもよい。より具体的には、算出部１５は、抽出部１６によって抽出された、ユーザ端末２から受け付けた発明に関する情報に類似する特許公開公報に基づいて、該ユーザ端末２から受け付けた発明の権利取得可能性を算出してもよい。
【００７０】
抽出部１６は、受付部１４において受け付けた知的財産に関する情報と、抽出部１６によって抽出された類似情報を比較し、比較した結果に基づいて該類似情報のうちの新たな類似情報を抽出してもよい。
【００７１】
抽出部１６はさらに、受付部１４において受け付けた知的財産に関する情報と、抽出部１６によって抽出された類似情報を比較し、比較した結果に基づいて該類似情報のうちの新たな類似情報を抽出してもよい。
【００７２】
制御部１１は、算出部１５により算出された知的財産に関するデータ、又は、抽出部１６によって抽出された類似情報に基づいて、ユーザ端末２に出力される情報を制御する（Ｓ１０４）。具体的には、制御部１１は、算出部１５により算出された権利取得可能性の情報に基づいて、キャラクター３の態様を出力制御することができる。例えば、制御部１１は、上述した権利取得可能性の情報が拒絶すべきと算出部１５が判定した場合、記憶部１２に記録されたキャラクター情報のうち、哀のキャラクターを選択し、表示するように出力部１３に出力指示をだす。また、制御部１１は、上述した権利取得可能性の情報が拒絶すべきと算出部１５が判定した場合、上記スコアや、射影による距離情報に基づいて、記憶部１２に記録されたキャラクター情報のうち、哀のキャラクターを選択し、表示するように出力部１３に出力指示をだしてもよい。
【００７３】
また、制御部１１は、算出部１５により算出されたキーワードを、キャラクター３を介して出力してもよい。算出部１５が、記憶部１２に記録された知的財産情報から抽出からキーワードを抽出する。具体的には、算出部１５が、権利取得可能性の情報が拒絶すべきと判定した際、どのような新たなキーワードを付加すれば、権利取得可能性の情報が拒絶すべきではないと判定するかというロジックで、新たなキーワードを算出する。算出部１５は、新たなキーワードを無数に列挙してもよいが、煩雑となるため、算出に際しては、同一または類似技術の公報のクレーム記載のキーワードを算出してもよいし、機械学習の射影における距離が拒絶にならないギリギリの距離移動を行う新たなキーワードのみを抽出してもよい。
【００７４】
また、制御部１１は、抽出部１６によって抽出された新たな類似情報に基づいて、キャラクター３の態様を選択してもよい。具体的には、新たな類似情報と構成要件のスコアの高低によってキャラクターのどの喜怒哀楽の出力態様にするかを選択する。
【００７５】
さらに、制御部１１は、キャラクター３を介して、算出部１５により算出された権利取得可能性の情報を示してもよい。また、制御部１１は、出力部１３を介して、上記選択された出力態様を出力するわけであるが、権利取得可能性の有無、クレームチャート、模擬拒絶理由通知を出力させてもよい。
【００７６】
制御部１１は、算出部１５により算出された知的財産に関するデータ、又は、抽出部１６によって抽出された類似情報に基づいて、ユーザ端末２に実際の審査の結果の書類の態様で出力するよう制御してもよい。ここで、実際の審査の結果の通知書とは、例えば、拒絶理由通知書、特許査定通知書、拒絶査定通知書などである。これにより、実際の審査に近いかたちで、ユーザが算出部１５により算出された知的財産に関するデータ、又は、抽出部１６によって抽出された類似情報を知ることを可能とすることができる。
【００７７】
具体的には、制御部１１は、算出部１５によって算出される権利取得可能性に対応するよう、記憶部１２において拒絶理由通知書、特許査定通知書、又は拒絶査定通知書を記憶しておき、受付部１４が受け付けた知的財産に関する情報、及び、記憶部１２において記憶された知的財産情報に基づいて、算出部１５が知的財産の権利取得可能性を算出した際に、記憶しておいた拒絶理由通知書、特許査定通知書、又は拒絶査定通知書をユーザ端末２に出力するよう制御してもよい。このとき、拒絶理由通知書、特許査定通知書、又は拒絶査定通知書における詳細な記載（例えば、拒絶理由通知書における理由の記載）については空欄としてもよい。制御部１１は、例えば、ユーザ端末２より受け付けた知的財産に関する情報が発明である場合に、算出部１５によって算出される権利取得可能性の情報が２９条２項違反であった場合、予め対応するよう記憶しておいた２９条２項違反を示す拒絶理由通知書をユーザ端末２に出力するよう制御してもよい。これにより、より実際の審査に近いかたちで、ユーザが算出部１５により算出された知的財産に関するデータを知ることができる。
【００７８】
また、制御部１１は、例えば、図５において例として示すように、算出部１５によって算出される権利取得可能性に対応するよう、記憶部１２において拒絶理由通知書を記憶しておき、算出部１５が知的財産の権利取得可能性を算出した際に、記憶しておいた拒絶理由通知書を記憶部１２から選択しつつ、抽出部１６によって抽出された類似情報及び／又はキーワードに基づいて、該拒絶理由通知書の記載内容を変更してユーザ端末２に出力するよう制御してもよい。制御部１１は、例えば、ユーザ端末２より受け付けた知的財産に関する情報が発明である場合に、算出部１５によって算出される権利取得可能性の情報が２９条２項違反であり、類似情報が特開１２３４−５６７８９０であり、特定したキーワードのうち該類似情報に含まれるものが「ＡＡＡ」であり、該特定した単語キーワードのうち該類似情報に含まれないキーワードが「ＢＢＢ」であり、該「ＢＢＢ」に基づいて抽出した新たな類似情報が特開９８７６−５４３２１０であった場合、予め対応するよう記憶しておいた、２９条２項違反を示し、引用文献が２つ使用され、引用文献１に対して差異として特定される構成が１つの拒絶理由通知書を選択し、引用文献の記載及び拒絶理由通知書において使用される構成のワードを上記類似情報及び上記キーワードに変更したものをユーザ端末２に出力するよう制御してもよい。これにより、より実際の審査に近いかたちで、ユーザが算出部１５により算出された知的財産に関するデータ、又は、抽出部１６によって抽出された類似情報を知ることを可能とすることができ、より良い発明を考える機会を設けることができる。
【００７９】
制御部１１は、例えば、抽出部１６において抽出された類似情報が、記憶部１２において記憶された拒絶理由通知書に係る引用文献と一部又は全部一致する場合、該拒絶理由通知書をそのままユーザ端末２に出力するよう制御してもよい。これにより、より簡易かつ早急にユーザ端末２に出力を行うことができる。
【００８０】
制御部１１は、算出部１５により算出された知的財産に関するデータ、又は、抽出部１６によって抽出された類似情報に基づいて、ユーザ端末２にスコア表の態様で出力するよう制御してもよい。これにより、スコア表という理解が容易な方法での表現が可能となり、知的財産法の知識に乏しいユーザであっても、わかりやすく知的財産に関する情報を理解させることができる。
【００８１】
制御部１１は、例えば、算出部１５により算出された権利取得可能性の情報について、該権利取得可能性の算出にあたり使用される予め数値化される知的財産情報に関する項目に関して、スコア表の態様でユーザ端末２に出力するよう制御してもよい。これにより、権利取得可能性の算出のもととなる各項目について、スコア表という理解が容易な方法での表現が可能となり、知的財産法の知識に乏しいユーザであっても、わかりやすく知的財産に関する情報を理解させることができる。
【００８２】
制御部１１は、例えば、図６において例として示すように、受付部１４において受け付けた知的財産に関する情報において特定された１つ以上のキーワードに対して抽出された類似情報に関して、スコア表の態様でユーザ端末２に出力するよう制御してもよい。具体的には、制御部１１は、受付部１４において受け付けた知的財産に関する情報において特定された１つ以上のキーワードごとに、抽出された類似情報の数、又は抽出された類似情報の率について、スコア表の態様でユーザ端末２に出力するよう制御してもよい。これにより、知的財産に関する情報に対する類似情報について、スコア表という理解が容易な方法での表現が可能となり、知的財産法の知識に乏しいユーザであっても、わかりやすく知的財産に関する情報を理解させることができる。
【００８３】
図３は、知的財産支援装置１が備えるＩＰリエゾンの機能を提供するためのリエゾン画面１０００の構成例を示す模式図である。
【００８４】
ＩＰリエゾンは、ユーザに所定の質問を行うことで、該ユーザから知的財産に関する情報を引き出すことが可能なサービスである。具体的には、ＩＰリエゾンは、ユーザに所定の質問を行うことで、該ユーザから発明を引き出すことができる。ＩＰリエゾンでは、例えば、「発明のポイントは何ですか？」や「発明の新しい部分はどこですか？」といった所定の質問を行い、ユーザから回答を得ることで、知的財産に関する情報が明確化される。なお、ＩＰリエゾンにおいて、ユーザに対して行う質問はこれらの例に限られず、知的財産に関する情報を引き出すための質問であれば、どのような質問であってもよい。例えば、ＩＰリエゾンでは、ユーザに種々の質問を行うことで、ユーザの発明を、権利化可能な状態まで明確化することができる。
【００８５】
図３に示すように、リエゾン画面１０００は、各種アイコン及びチャットルーム１００３を含む。各種アイコンは、例えば、グループアイコン１００１、メンバーアイコン１００２、チャットルーム１００３、代理人アイコン１００４、カレンダーアイコン１００５、フォルダアイコン１００６、翻訳アイコン１００７、ＴＶ会議アイコン１００８、ＩＰリエゾンアイコン１００９、手続きの流れアイコン１０１０などである。
【００８６】
図３に示すように、リエゾン画面１０００は、知的財産に関する情報について種々の質問を行い、それに対してユーザが回答するチャットルーム１００３を含む。図３に示すように、ユーザに対する質問は、Ｓｙｓｔｅｍが自動的に行ってもよいし、知的財産支援装置１の管理者やスタッフなどが行ってもよい。ユーザは、チャットルーム１００３に表示される質問の各々に対して回答する。ユーザからの回答は、記憶部１２において自動的に記憶されてもよい。具体的には、記憶部１２におけるフォルダ１００６に自動的に記憶することができる。ユーザは、該フォルダ１００６に記憶された情報を用いることができる。例えば、ユーザは、該フォルダ１００６に記憶された情報を用いて、発明を確認することができる、又は、特許出願に関する所定の手続きを行うことができるなどである。
【００８７】
なお、図３に示すチャットルーム１００３は、複数のユーザが参加可能であり、該複数のユーザが協働して質問に回答することで、知的財産に関する情報を明確化することもできる。また、図３に示すチャットルーム１００３におけるユーザからの回答は、日時と共にフォルダ１００６に記憶することができ、該フォルダ１００６に記憶されたファイルは、いわゆるノートとしても利用可能である。
【００８８】
また、ＩＰリエゾンの機能は、ユーザが回答した内容に基づいて、先行文献調査を実行するように構成されていてもよい。知的財産支援装置１は、Ｎｅｔｗｏｒｋを介して、特許文献や論文などを提供する種々のサービスに接続し、発明者が回答した内容に基づいて、先行文献調査を実行する。サーバ装置１は、発見した先行文献を、チャットルーム１００３に自動的にアップロードしてもよい。
【００８９】
また、ＩＰリエゾンの機能は、ユーザの発明と発見した先行文献との関連性を、チャットルーム１００３や他のページに、ツリー状のマップにより示してもよい。ユーザは、ツリー状のマップにより、ユーザの発明について、関連する文献などの関連性を把握することができ、ユーザの発明の特許性を検討することや、関連する文献等から該ユーザの発明をさらにブラッシュアップすることなどが可能となる。なお、ＩＰリエゾン機能は、ユーザの発明との関連性に限られず、先行文献同士の関連性を表示してもよい。また、ＩＰリエゾン機能は、ツリー状のマップ以外の方法により、関連性を表示してもよい。
【００９０】
また、ＩＰリエゾンの機能は、ユーザの発明と、先行文献との類似性を、分布図としてマップに表示可能である。マップは、例えば、中心をユーザの発明として、類似度の高い先行文献ほど中心に近い位置にプロットされるものであってもよい。該マップにより、ユーザは、該ユーザの発明と、複数の先行文献との類似性を確認することができる。また、ユーザは、該ユーザの発明の先行文献として適切な既存特許や論文等を発見することもできる。また、ユーザは、該ユーザの発明に類似する先行文献を確認することで、該ユーザの発明の特許性を判断することもできる。例えば、ユーザは、マップにおいて、中心（ユーザの発明）に近い位置に、多数のプロットがある場合には、該ユーザの発明に近い先行文献が多数あることを確認でき、該ユーザの発明の特許性を高めるための追加のアイデアを考えることが可能となる。また、ユーザは、マップにおいて、中心に近い位置にあまりプロットがない場合には、該ユーザの発明に類似する先行文献があまりないことを確認でき、複数の出願を検討することや、出願に係る発明の範囲を広げることなどを検討可能である。
【００９１】
また、ＩＰリエゾンの機能は、ユーザの発明が複数ある場合に、その複数のユーザの発明をクラスタとして、該クラスタに近い複数の先行文献群（先行文献のクラスタ）を可視化可能なマップを示してもよい。
【００９２】
また、ＩＰリエゾンの機能は、チャットルーム１００３に参加している発明者に関する情報から、該発明者と同様の研究開発を行っている研究者等を特定するように構成されていてもよい。知的財産支援装置１は、Ｎｅｔｗｏｒｋを介して、複数の発明者に関する情報が提供されているサービスに接続し、チャットルーム１００３に参加している発明者と同様の研究開発を行っている研究者等を特定する。知的財産支援装置１は、特定した研究者等に関する情報を、チャットルーム１００３に自動的にアップロードしてもよい。
【００９３】
リエゾン画面１０００は、複数のユーザや外国代理人を含むグループに対応するグループアイコン１００１を含んでいてもよい。ユーザは、グループに属する複数のユーザや外国代理人と、チャットルーム１００３においてテキスト情報や手続きに関する情報を送受信可能である。ユーザは、リエゾン画面１０００に含まれるグループアイコン１００１を選択することにより、チャットルーム１００３を用いて種々の情報をやり取りするグループを決定することができる。リエゾン画面１０００は、複数のグループに対応するグループアイコン１００１を含んでいてもよい。リエゾン画面１０００に表示できないグループアイコン１００１は、ユーザがリエゾン画面１０００においてグループアイコン１００１が表示されている領域をスクロールすることにより、表示することができる。
【００９４】
ユーザが、リエゾン画面１０００において、グループに対応するグループアイコン１００１を選択すると、チャットルーム１００３を表示する領域には、該選択したグループアイコン１００１に対応するグループに属するユーザや外国代理人と所定の情報をやり取りするためのチャットルーム１００３が表示される。そのため、ユーザは、表示されたチャットルーム１００３を用いて、選択したグループアイコン１００１に対応するグループに属する他のユーザや外国代理人と、所定の情報をやり取りすることが可能となる。
【００９５】
リエゾン画面１０００は、ユーザに関連する他のユーザに対応するメンバーアイコン１００２を含んでいてもよい。ユーザは、リエゾン画面１０００の他のユーザに対応するメンバーアイコン１００２を選択して、選択した他のユーザを、チャットルーム１００３に参加させることができる。例えば、ユーザは、他のユーザであるユーザＡに対応するメンバーアイコン１００２を選択して、該ユーザＡをチャットルーム１００３に参加させることができる。チャットルーム１００３に参加した他のユーザは、該チャットルーム１００３において、テキスト情報や手続きに関する情報を登録（アップロード）することが可能になる。リエゾン画面１０００は、複数の他のユーザの各々に対応するメンバーアイコン１００２を含んでいてもよい。リエゾン画面１０００に表示できないメンバーアイコン１００２は、ユーザが該リエゾン画面１０００においてメンバーアイコン１００２が表示されている領域をスクロールすることにより、表示することができる。
【００９６】
ユーザがリエゾン画面１０００において他のユーザに対応するメンバーアイコン１００２を選択すると、チャットルーム１００３を表示する領域には、該選択したメンバーアイコン１００２に対応する他のユーザと所定の情報をやり取りするためのチャットルーム１００３が表示される。そのため、ユーザは、表示されたチャットルーム１００３を用いて、選択したメンバーアイコン１００２に対応する他のユーザと、所定の情報をやり取りすることが可能となる。
【００９７】
リエゾン画面１０００は、複数の外国代理人の各々に対応する代理人アイコン１００４を含んでいてもよい。ユーザは、代理人アイコン１００４を選択して、手続きを依頼する外国代理人を、チャットルーム１００３に参加させることができ、該外国代理人と情報のやり取りを行うことが可能となる。また、リエゾン画面１０００は、複数の外国代理人の各々に対応する代理人アイコン１００４を含んでいてもよい。リエゾン画面１０００に表示できない代理人アイコン１００４は、ユーザが該リエゾン画面１０００において代理人アイコン１００４が表示されている領域をスクロールすることにより、表示することができる。
【００９８】
代理人アイコン１００４には、代理人に関する情報が表示されてもよい。代理人アイコン１００４は、例えば、代理人の名前や、該代理人が所属する特許事務所や法律事務所の名前が表示されてもよい。また、代理人アイコン１００４には、代理人ごとに、該代理人に手続きを依頼した場合の費用や、手続きに要する時間などが表示されてもよい。ユーザは、費用や時間等を確認して、手続きを依頼する代理人を選択することが可能となる。
【００９９】
なお、ユーザが、複数の代理人の各々の詳細な情報を確認するために、該ユーザが代理人アイコン１００４をクリックすると、該詳細な情報を確認するためのページに移動するように構成されていてもよい。詳細な情報には、代理人の所属する特許事務所や法律事務所の詳細な内容や、手続きに要する費用、代理人の経歴などが表示されていてもよい。ユーザは、複数の代理人の各々について、例えば、手続きに要する費用を確認することにより、いずれの代理人に手続きを依頼するか決定することができる。一方。代理人は、ユーザから選択を受けるように、例えば割引などを行った費用を提示することが可能となる。
【０１００】
リエゾン画面１０００は、カレンダー機能に対応するカレンダーアイコン１００５を含んでいてもよい。カレンダー機能は、例えば、低額または無料で提供されているカレンダー機能を用いることができる。カレンダー機能に対応するカレンダーアイコン１００５が選択された場合、カレンダーを表示するカレンダー画面（不図示）に移動してもよく、リエゾン画面１０００内においてカレンダーを表示してもよい。
【０１０１】
リエゾン画面１０００は、フォルダ機能に対応するフォルダアイコン１００６を含んでいてもよい。フォルダ機能は、ユーザがチャットルーム１００３にアップロードした手続きに関する情報を記憶する機能である。フォルダ機能に対応するフォルダアイコン１００６が選択された場合、フォルダを表示するフォルダ画面（不図示）に移動してもよく、リエゾン画面１０００内においてフォルダを表示してもよい。
【０１０２】
リエゾン画面１０００は、外国代理人とＴＶ会議するための機能に対応するＴＶ会議アイコン１００８を含んでいてもよい。ユーザがＴＶ会議を行いたい外国代理人に対応する代理人アイコン１００４を特定し、ＴＶ会議に対応するＴＶ会議アイコン１００８を選択すると、特定した外国代理人とＴＶ会議するためのＴＶ会議画面（不図示）に移動してもよく、リエゾン画面１０００内においてＴＶ会議画面を表示してもよい。
【０１０３】
ユーザは、外国代理人とＴＶ会議することにより、手続きに関する内容や手続きに要する費用などについて該外国代理人から直接説明を付けることができる。
【０１０４】
リエゾン画面１０００は、翻訳の機能に対応する翻訳アイコン１００７を含んでいてもよく、翻訳に対応する翻訳アイコン１００７は、“Ｔｒａｎｓｌａｔｉｏｎ”として表示してもよい。
【０１０５】
翻訳の機能は、ユーザや外国代理人によってアップロードされた所定の情報を、翻訳するための機能である。例えば、ユーザが日本語で記載されたファイルをチャットルーム１００３にアップロードした場合、該ファイルを英語や中国語に翻訳する機能を提供する。また、外国代理人がアップロードした英語や中国語で記載されたファイルを、該ファイルを日本語に翻訳する機能を提供する。
【０１０６】
翻訳の機能は、知的財産に特有の表現や内容を的確に翻訳可能であることが望ましい。翻訳の機能は、例えば、所定の表現や内容を予め定められたルール（規則）に基づいて翻訳するルール型の機械翻訳と、大量の翻訳文（例文や過去の翻訳結果など）に基づいて統計的に翻訳モデルを学習することにより翻訳を行う統計型の機械翻訳を組み合わせた、ハイブリッド型の機械翻訳であってもよい。ルール型の機械翻訳は、例えば、キーワードや文法の組み合わせにより翻訳を行うため、特有の表現等を含む知的財産の分野であっても、誤訳を低減した内容で翻訳可能である。また、統計型の機械翻訳は、機械学習した翻訳モデルにより翻訳を行うため、種々の技術分野に関しても、誤訳を低減した内容で翻訳可能である。そして、知的財産支援装置１における翻訳の機能は、これらのハイブリットにより翻訳を行うため、種々の技術分野や法律分野を含む知的財産に関する翻訳であっても、誤訳を低減した内容で翻訳可能である。
【０１０７】
なお、翻訳の機能は、翻訳者が行ってもよいし、自動翻訳であってもよい。
【０１０８】
ユーザは、チャットルーム１００３にアップされたファイルを該チャットルーム１００３上で特定して、翻訳アイコン１００７を選択すると、特定したファイルが所定の言語に翻訳される。なお、翻訳アイコン１００７を選択した場合、さらに翻訳する言語を選択するためのタブやアイコンが表示されてもよい。ユーザは、翻訳したい言語のタブやアイコンを選択することにより、特定したファイルを選択した言語に翻訳することができる。
【０１０９】
なお、本発明の実施形態における知的財産支援装置１においては、ファイルの翻訳は、例えば、低額または無料で提供されている翻訳サービス等を用いることができる。
【０１１０】
また、本発明の実施形態において、翻訳の機能は、ユーザや外国代理人がチャットルーム１００３にファイルをアップロードした際に、該ファイルに対して自動的に実行されるものであってもよい。
【０１１１】
リエゾン画面１０００は、“ＩＰリエゾン”に対応するアイコンをＩＰリエゾンアイコン１００９として表示しておいてもよく、該ＩＰリエゾンアイコン１００９が選択されることによってチャットルーム１００３が表示されるようにしてもよい。
【０１１２】
リエゾン画面１０００は、“手続きの流れ”に対応する手続きの流れアイコン１０１０を含んでいてもよい。
【符号の説明】
【０１１３】
１    知的財産支援装置
２    ユーザ端末
３    キャタクター
１１    制御部
１２    記憶部
１３    出力部
１４    受付部
１５    算出部
１６    抽出部
１０００    リエゾン画面
１００１    グループアイコン
１００２    メンバーアイコン
１００３    チャットルーム
１００４    代理人アイコン
１００５    カレンダーアイコン
１００６    フォルダアイコン
１００７    翻訳アイコン
１００８    ＴＶ会議アイコン
１００９    ＩＰリエゾンアイコン
１０１０    手続きの流れアイコン
【図１】
2019036177.tif 000003
【図２】
2019036177.tif 000004
【図３】
2019036177.tif 000005
【図４】
2019036177.tif 000006
【図５】
2019036177.tif 000007
【図６】
2019036177.tif 000008
【手続補正書】
【提出日】平成29年11月28日(2017.11.28)
【手続補正１】
【補正対象書類名】図面
【補正対象項目名】図４
【補正方法】変更
【補正の内容】
【図４】
2019036177.tif 000009
【手続補正２】
【補正対象書類名】図面
【補正対象項目名】図６
【補正方法】変更
【補正の内容】
【図６】
2019036177.tif 000010
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
知的財産情報及びキャラクター情報を記録する記録部と、
前記記録部に記録されたキャラクター情報に基づいて、ユーザが操作可能なユーザ端末にキャラクターを出力する出力部と、
前記ユーザ端末から送信された、前記ユーザが発明者または出願人として関係する知的財産に関する情報を受け付ける受付部と、
前記知的財産情報及び前記知的財産に関する情報に基づいて、前記知的財産の権利取得可能性を算出し、前記記録部に記録された前記知的財産情報を用いて、前記権利取得可能性を算出するための機械学習に用いる学習データを予め生成し、該学習データ及び前記知的財産に関する情報から前記権利取得可能性の情報を算出し、前記学習データ及び前記権利取得可能性の情報に基づいて、前記機械学習の射影における距離が拒絶にならない距離移動を行う部分に対応する、前記知的財産に関する情報に付加すべき新たなキーワードを、前記知的財産情報から算出する算出部と、
前記算出部により算出された権利取得可能性の情報に基づいて、前記キャラクターの態様を出力制御し、前記新たなキーワードを、前記キャラクターを介して出力する制御部とを備える知的財産支援装置。
【請求項２】
前記知的財産支援装置は、前記知的財産情報から、前記知的財産に関する情報に関する類似情報を抽出する抽出部をさらに備え、
前記算出部は、前記類似情報に基づいて、前記権利取得可能性の情報を算出することを特徴とする請求項１に記載の知的財産支援装置。
【請求項３】
前記抽出部は、前記知的財産に関する情報と、前記類似情報のうちの引例とを比較し、前記知的財産に関する情報を構成要件ごとに、前記引例との一致点と相違点を算出し、該比較した結果である相違点に基づいて前記類似情報のうちの新たな類似情報のうちの引例を抽出することを特徴とする請求項２に記載の知的財産支援装置。
【請求項４】
前記制御部は、前記新たな類似情報に基づいて、前記キャラクターの態様を選択することを特徴とする請求項３に記載の知的財産支援装置。
【請求項５】
前記制御部は、前記キャラクターを介して、前記権利取得可能性の情報を示すことを特徴とする請求項４記載の知的財産支援装置。
【請求項６】
コンピュータが、
知的財産情報及びキャラクター情報を記録するステップと、
前記記録されたキャラクター情報に基づいて、ユーザが操作可能なユーザ端末にキャラクターを出力するステップと、
前記ユーザ端末から送信された、知的財産に関する情報を受け付けるステップと、
前記知的財産情報及び前記知的財産に関する情報に基づいて、前記知的財産の権利取得可能性を算出し、前記記録部に記録された前記知的財産情報を用いて、前記権利取得可能性を算出するための機械学習に用いる学習データを予め生成し、該学習データ及び前記知的財産に関する情報から前記権利取得可能性の情報を算出し、前記学習データ及び前記権利取得可能性の情報に基づいて、前記機械学習の射影における距離が拒絶にならない距離移動を行う部分に対応する、前記知的財産に関する情報に付加すべき新たなキーワードを、前記知的財産情報から算出するステップと、
前記算出された権利取得可能性の情報に基づいて、前記キャラクターの態様を出力制御し、前記新たなキーワードを、前記キャラクターを介して出力するステップとを備える知的財産支援方法。
【請求項７】
コンピュータに、知的財産情報及びキャラクター情報を記録させる記録機能と、
前記記録されたキャラクター情報に基づいて、ユーザが操作可能なユーザ端末にキャラクターを出力させる出力機能と、
前記ユーザ端末から送信された、知的財産に関する情報を受け付ける受付機能と、
前記知的財産情報及び前記知的財産に関する情報に基づいて、前記知的財産の権利取得可能性を算出し、前記記録部に記録された前記知的財産情報を用いて、前記権利取得可能性を算出するための機械学習に用いる学習データを予め生成し、該学習データ及び前記知的財産に関する情報から前記権利取得可能性の情報を算出し、前記学習データ及び前記権利取得可能性の情報に基づいて、前記機械学習の射影における距離が拒絶にならない距離移動を行う部分に対応する、前記知的財産に関する情報に付加すべき新たなキーワードを、前記知的財産情報から算出させる算出機能と、
前記算出された権利取得可能性の情報に基づいて、前記キャラクターの態様を出力制御し、前記新たなキーワードを、前記キャラクターを介して出力する制御機能とを実行させる知的財産支援プログラム。